(57)【特許請求の範囲】
【請求項１】
スピーカユニットと、該スピーカユニットを内部に収容する筐体と、からなるスピーカ装置を備える音響再生装置において、
前記スピーカ装置は、前記スピーカユニットの背面に、前記スピーカユニットが前記筐体に収容された状態で前記筐体の内面と圧接し、前記筐体に伝わる振動を低減する不織布が設けられており、
前記筐体は、長さ方向に沿う中空部を有すると共に、音響再生装置本体にスピーカ装置本体を回動自在に取り付ける支持軸を備え、
前記スピーカ装置からの配線が前記支持軸の中空部を通されていることを特徴とする音響再生装置。
【請求項２】
請求項１記載の音響再生装置において、
前記筐体の内面には、前記不織布が圧接される部分に前記不織布の形状に併せた凹部が設けられていることを特徴とする音響再生装置。
【請求項３】
請求項１または２記載の音響再生装置において、
前記筐体は、前記スピーカユニットが挿入される開口部を有するパネルと、前記開口部に挿入されたスピーカユニットの背面に設けられる前記不織布が内面に圧接する状態で、前記パネルとのあいだに前記スピーカユニットを収容するケースとを備え、
前記パネルは、前記ケースに向かう面に不織布が設けられていることを特徴とする音響再生装置。
【請求項４】
請求項３記載の音響再生装置において、
前記筐体は、前記パネルの前方で前記パネルとのあいだに間隔をあけて配置されるグリルを備え、
該グリルは、前記パネルに向かう面に不織布が設けられていることを特徴とする音響再生装置。
【発明の詳細な説明】
【０００１】
【発明の属する技術分野】
本発明は、スピーカユニットを筐体に収容するスピーカ装置を備える音響再生装置に関する。
【０００２】
【従来の技術】
ステレオ、ラジオカセットなどの音響再生装置が備えるスピーカ装置は、例えば、振幅動作して音を放射するスピーカユニットを筐体（キャビネット）内に収容して構成される。
【０００３】
【発明が解決しようとする課題】
ところで、スピーカ装置では、スピーカユニットの振動がキャビネットなどに伝わって生じる不要振動が音質特性に影響するため、不要振動を抑えるさまざまな試みがなされている。
また一方で、近年の音響再生装置の小型化・薄型化に伴い、スピーカ装置のキャビネットを小型化・薄型化しようとすると、振幅動作するスピーカユニットにキャビネットの内面がより近づくことになる。これにより、スピーカユニットからの不要振動がキャビネットへより伝わりやすくなり音質の低下に繋がり易い。
【０００４】
従来のスピーカ装置および音響再生装置では、不要振動を抑えて音質特性の向上を図ることと、小型化・薄型化と、を充分に両立したものが得られていなかった。
【０００５】
本発明の課題は、不要振動を低減して音質特性を向上できると共に、小型化および薄型化を図ることができるスピーカ装置を備える音響再生装置を提供することである。
【０００６】
【課題を解決するための手段】
以上の課題を解決するため、請求項１記載の発明は、例えば、図１〜６に示すように、スピーカユニット２１と、該スピーカユニットを内部に収容する筐体（例えば、キャビネットＰ）と、からなるスピーカ装置１を備える音響再生装置（例えば、薄型ラジカセ１００）において、前記スピーカ装置は、前記スピーカユニットの背面に、前記スピーカユニットが前記筐体に収容された状態で前記筐体の内面と圧接し、前記筐体に伝わる振動を低減する不織布Lが設けられており、
前記筐体は、長さ方向に沿う中空部Bを有すると共に、音響再生装置本体にスピーカ装置本体を回動自在に取り付ける支持軸Aを備え、
前記スピーカ装置からの配線が前記支持軸の中空部を通されていることを特徴とする。
【０００７】
請求項１記載の発明によれば、音響再生装置に備えられる回転式のスピーカ装置において、スピーカユニットの背面と筐体の内面とのあいだに介在する不織布が、筐体に伝わる振動を低減する。同時に、スピーカユニットの背面が不織布を介して筐体の内面に圧接されるので、スピーカユニットと筐体とが一体となり高い剛性が与えられる。以上から音響再生装置に備えられる回転式のスピーカ装置に高い制振効果が与えられ、振幅動作するスピーカユニットから筐体に伝わる不要振動を大幅に低減して音質特性を向上できる。
また、スピーカユニットを筐体の内面に圧接して配置できるので、音響再生装置に備えられる回転式のスピーカ装置の小型化および薄型化を図ることができる。
【０００８】
請求項２記載の発明は、例えば、図２に示すように、請求項１記載の音響再生装置において、
前記筐体の内面には、前記不織布が圧接される部分に前記不織布の形状に併せた凹部３３が設けられていることを特徴とする。
【０００９】
請求項２記載の発明によれば、請求項１と同様の効果を奏することができるとともに、スピーカユニットの背面に形成される不織布が、凹部に収容された状態でより確実に圧接される。併せて、不織布が凹部に収容されて互いがオーバラップするようになり、スピーカ装置の薄型化にさらに寄与すると共により厚手の不織布を収容できる。
なお、振幅動作するスピーカユニットが筐体の内面と接触すると、筐体に振動が伝わるために、スピーカユニットが筐体とは接触せずに不織布のみが凹部に収容される構成とすることが好ましい。
【００１０】
請求項３記載の発明は、例えば、図２、５に示すように、請求項１または２記載の音響再生装置において、
前記筐体は、前記スピーカユニットが挿入される開口部２４を有するパネル２０と、前記開口部に挿入されたスピーカユニットの背面に設けられる前記不織布が内面に圧接する状態で、前記パネルとのあいだに前記スピーカユニットを収容するケース３０とを備え、
前記パネルは、前記ケースに向かう面に不織布Ｎが設けられていることを特徴とする。
【００１１】
請求項３記載の発明によれば、請求項１または２と同様の効果を奏することができるとともに、パネルがケースに向かう面に設けられる不織布が、振幅動作するスピーカユニットから筐体に伝わる不要振動を低減するように作用する。これにより、不織布を設けない場合と比較して、筐体の内面をスピーカユニットにより近づける配置が可能となり、スピーカ装置の小型化および薄型化にさらに寄与する。
【００１２】
請求項４記載の発明は、例えば、図２、４に示すように、請求項３記載の音響再生装置において、
前記筐体は、前記パネルの前方で前記パネルとのあいだに間隔をあけて配置されるグリル１０を備え、
該グリルは、前記パネルに向かう面に不織布Ｍが設けられていることを特徴とする。
【００１３】
請求項４記載の発明によれば、請求項３と同様の効果を奏することができるとともに、グリルがパネルに向かう面に設けられる不織布が、振幅動作するスピーカユニットから筐体に伝わる不要振動を低減するように作用する。これにより、不織布を設けない場合と比較して、グリルをスピーカユニットにより近づける配置が可能となる。従って、グリルとパネルとのあいだの間隔をより小さくでき、スピーカ装置の小型化および薄型化にさらに寄与する。
【００１６】
【発明の実施の形態】
以下、図１〜６を参照して、本発明の実施の形態の薄型ラジカセ１００（音響再生装置）を詳細に説明する。
図１に示すように、薄型ラジカセ１００は左右１対のスピーカ装置１を備える。スピーカ装置１は、薄型ラジカセ１００の側面に略垂直に設けられる支持軸Ａを中心に左右に開いてほぼ面一となる位置まで回動する（図１（ａ）に開いた状態を二点鎖線で図示）。薄型ラジカセ１００の未使用時にはスピーカ装置１が折り畳まれてコンパクトになり取り扱いが容易である（図１（ａ）に折り畳んだ状態を実線で図示）。
【００１７】
図２に示すように、スピーカ装置１は、外枠となるキャビネットＰ（筐体）の内部にスピーカユニット２１が収容される。スピーカユニット２１の背面に円形の不織布Ｌが貼設される（図３、５参照）。
キャビネットＰは、キャビネットＰの前面を構成するグリル１０と、グリル１０が嵌合する略矩形枠を前面に有すると共に、スピーカユニット２１が前方から後方に突出した状態で挿入される開口部２４を有するパネル２０と、パネル２０と周縁部どうしが嵌め合い可能に設けられ、パネル２０とのあいだにスピーカユニット２１を収容するケース３０と、ケース３０の側面に取り付けられて支持軸Ａを構成するホルダ４０とからなる。
グリル１０がパネル２０の略矩形枠の部分に前方から嵌合すると共に、パネル２０とケース３０との周縁部どうしが嵌め合った状態で、ケース３０の後方からネジ穴１０ａ、２０ａ、３０ａを介して四隅から一体的にネジ止めされる。
【００１８】
ケース３０内面には、不織布Ｌに併せて円状に僅かに窪んだ凹部３３が形成される（図２参照）。ここで、図３の断面図に示すように、グリル１０とパネル２０とケース３０との前後方向の寸法は、一体的にネジ止めされることで、不織布Ｌが凹部３３に入り込み、かつ、スピーカユニット２１背面とケース３０とが間隔δをあけた状態で、ケース３０内面に圧接されるように設計される。
以上の構成により、スピーカユニット２１とキャビネットＰとが一体となった状態で強固に固定されてスピーカ装置１に高い剛性が与えられると共に、スピーカユニット２１とケース３０の内面とに介在する不織布Ｌが振動を低減する作用と併せて、スピーカ装置１に高い制振効果が与えられる。
なお、スピーカユニット２１の背面とケース３０の内面とは直接は接触しておらず、スピーカユニット２１の振動がキャビネットＰに直接伝わることがない。
【００１９】
パネル２０はＡＢＳ樹脂製であり、図２に示すように、スピーカユニット２１がパネル２０の開口部２４に前方から挿入されて後方に突出した状態で穴２１ａおよび穴２４ａを介してネジ止めされる。開口部２４の周囲はスピーカユニット２１の形状に併せた段差が付けられる。ホルダ２３に保持されたツィータ２２が開口部２５に後方から挿入されて前方に突出する。ホルダ２３は側面から突出する２つの板状の突起２３ａを一体に備える。図５に示すように、２つの突起２３ａは、パネル２０の背面で開口部２５の周囲に起立して設けられる２つの支持部２６に跨るようにして嵌め合い、ネジ孔２６ａを介してネジ止めされる。なお、ツィータ２２は高音専用スピーカである。
また、パネル２０は、スピーカユニット２１およびツィータ２２にそれぞれの帯域に応じた電気信号を供給する分配回路（図示しない）と、基板２７ａに保持された状態でパネル２０の背面に固定されるバーアンテナ２７と、下方の隅に形成される矩形状のダクト２８となどを備える。
【００２０】
グリル１０はポリスチレン樹脂製であり、図２に示すように、スピーカユニット２１およびツィータ２２に対応する位置に形成される略円形の開口部１１、１２と、パネル２０のダクト２８に対応する位置に形成される矩形状のダクト１３と、グリル１０の前面に張られる周知のサランネット（図示しない）とを備える。開口部１１、１２には上下左右の網目状に複数の棒状部材１１ａ、１２ａが設けられており剛性の向上に寄与する。ダクト１３はダクト２８と共にキャビネットＰ内の空気の排出口となりスピーカユニット２１およびツィータ２２の良好な振幅動作を促す。
【００２１】
ケース３０はポリスチレン製であり、周知の添加剤が含められて充分な剛性をもつように配合設計されている。ケース３０内面から垂直に起立する板状部３４の下面にクッション３５が設けられる。
【００２２】
図４にグリル１０の背面を示す。グリル１０の背面には、網掛けを付した形状をもつ不織布Ｍが四隅のネジ穴１０ａを貫通してほぼ密着して取り付けられる。図５にパネル２０の背面を示す。パネル２０の背面には、網掛けを付した形状をもつ不織布Ｎが四隅のネジ穴２０ａを貫通して取り付けられる。パネル２０には背面から突出する突出片２０ｂが適宜形成される。不織布Ｎは、多数の突出片２０ｂに支えられ、かつ、板状部３４（図２参照）に背面から押された状態で、パネル２０背面にほぼ密着して取り付けられる。また、不織布Ｎはクッション３５（図２参照）と接触する部分で互いに接着されている。
不織布Ｍ、Ｎの制振作用により、振幅動作するスピーカユニット２１およびツィータ２２にキャビネットＰの内面をより近づける構成が可能となる。これにより、グリル１０背面とパネル２０前面とからなる空間Ｘ（図３参照）と、パネル２０背面とケース３０内面とからなる空間Ｙ（図３参照）との容積低減が図られ、スピーカ装置１の小型化・薄型化に寄与する。
【００２３】
図２に示すように、ケース３０の一方の側面は、ほぼ中央が内側に向かって略コ字状に凹んだ凹部３１が形成される。ケース３０のパネル２０に向かう周縁部には２つの切り欠き３１ａが設けられる。凹部３１のコ字状に凹んだ部分から後方に突出して回転軸部３２が一体的に設けられる。回転軸部３２は側方からホルダ４０が嵌め合い受穴３２ｂおよび穴４１ｂを介してネジ止めされる。
ホルダ４０には断面半円状の内面が上下に延在する回転軸部４１が一体的に形成される。回転軸部３２および回転軸部４１には断面半円状の内面をもつ突起３２ａ、４１ａが上下にそれぞれ形成される。ホルダ４０がネジ止めされて突起３２ａと突起４１ａとから形成される円筒状の部分に軸受け４２が嵌合し、上下方向に延在する中空部Ｂを備える支持軸Ａが構成される。軸受け４２に設けられる切り欠き４２ａが薄型ラジカセ１００に固定される。
以上により、スピーカ装置１が薄型ラジカセ１００の側面に回動自在に支持される。
【００２４】
また、２つの切り欠き３１ａにより、ケース３０の内部と、回転軸部３２とホルダ４０とから形成される空間とが連通する。これにより、ケース３０内の配線を、前記連通した空間を経由し、突起３１ａと突起４１ａとから形成される円筒状の部分を介して、スピーカ装置１の外部に引き出すことができる。このように支持軸Ａの内部を通るように配線を取り廻すことで、スピーカ装置１を薄型ラジカセ１００の側面で回動させたときにも配線には無理な力が作用せず、断線などの不具合が防止される。
【００２５】
図６にケース３０の背面を示す。ケース３０の背面には、縦方向の巾Ｌで横方向に延びる凹部３６が上下に連続して設けられる。図６（ｂ）に示すように、凹部３６の断面（縦方向）は、円弧状に僅かに湾曲するほぼ波形に形成される。凹部３６によりケース３０の剛性がさらに高められている。なお、図６（ｂ）は図６（ａ）に示すＡ−Ａ’線に沿う断面図である。
また、弾性材料からなるエスカッション３７が、その上部をケース３０の背面から僅かに突出して設けられ、スピーカ装置１を折り畳んだときに薄型ラジカセ１００の背面と強くぶつかることを防止する。
【００２６】
以上の薄型ラジカセ１の使用時には、キャビネットＰがもつ充分な剛性と、不織布Ｌ、Ｍ、Ｎとから得られる制振作用などにより、スピーカユニット２１およびツィータ２２が振幅動作して伝わる不要振動が大幅に低減され、音質特性を向上できる。
【００２７】
以上の本実施の形態の薄型ラジカセ１００によれば、スピーカユニット２１の背面の不織布Ｌがケース３０内面に圧接されて得られる高い剛性と、不織布Ｌ、Ｍ、Ｎの制振作用とにより、振幅動作するスピーカユニット２１およびツィータ２２などからキャビネットＰに伝わる不要振動を大幅に低減でき、音質特性の向上に寄与する。
さらに、不織布Ｍ、Ｎの制振作用によりキャビネットＰの容積低減が図られ、スピーカ装置１の薄型化および小型化に寄与する。
【００２８】
なお、本発明は上記実施の形態に限定されるものではない。すなわち、本発明の趣旨を逸脱しない範囲において、適宜に変更可能であることは勿論である。
例えば、不織布Ｌ、Ｍ、Ｎの材質や厚さなどの他、不織布Ｌ、Ｍ、Ｎを設ける大きさについては任意に設計できる。
また、本実施の形態では、グリル１０の背面とパネル２０の背面とに設けられる不織布Ｍ、Ｎは接着していないが、周知の接着剤などを用いて接着しても良い。この場合には、不織布Ｍ、Ｎがより確実に密着して固定される。さらに、キャビネットＰ内部で配線を取りまとめるとき、周知の接着剤が塗布された接着層を裏面に備える不織布からなる接着シートを用いても良い。この場合には、キャビネットＰ内部に備えられる不織布がさらに増し、不要振動を低減する制振効果がさらに高まる。
【００２９】
【発明の効果】
請求項１記載の発明によれば、スピーカユニットと筐体とが一体となって得られる高い剛性と、スピーカユニットの背面と筐体の内面とのあいだに介在する不織布と、から高い制振効果が得られる。これにより、振幅動作するスピーカユニットから筐体に伝わる不要振動を大幅に低減して音質特性を向上できる。併せて、スピーカユニットを筐体の内面に圧接して配置できるので小型化および薄型化を図ることができる。
【００３０】
請求項２記載の発明によれば、請求項１と同様の効果を奏することができるとともに、不織布が凹部に収容された状態でより確実に圧接される。併せて、不織布と筐体の内面とを互いにオーバラップさせて薄型化にさらに寄与する。
【００３１】
請求項３記載の発明によれば、請求項１または２と同様の効果を奏することができるとともに、筐体の内面をスピーカユニットにより近づける配置が可能となり、スピーカ装置の小型化および薄型化にさらに寄与する。
【００３２】
請求項４記載の発明によれば、請求項３と同様の効果を奏することができるとともに、グリルをスピーカユニットにより近づける配置が可能となり、スピーカ装置の小型化および薄型化にさらに寄与する。
【００３３】
請求項５記載の発明によれば、請求項１〜４のいずれか一つと同様の効果を奏することができるとともに、不要振動を低減して音質特性を向上でき、小型化および薄型化を図ることができる回転式のスピーカ装置を備える音響再生装置が得られる。
【図面の簡単な説明】
【図１】本発明を適用した一実施の形態の薄型ラジカセ１００を示す図である。
【図２】図１のスピーカ装置１を示す分解斜視図である。
【図３】図１のスピーカ装置１を示す断面図である。
【図４】図２のグリル１０の背面を示す図である。
【図５】図２のパネル２０の背面を示す図である。
【図６】図２のケース３０の背面を示す図である。
【符号の説明】
１      スピーカ装置
１０    グリル
２０    パネル
２１    スピーカユニット
２４    開口部
３０    ケース
３３    凹部
１００  薄型ラジカセ（音響再生装置）
Ａ      支持軸
Ｂ      中空部
Ｌ      不織布
Ｍ      不織布
Ｎ      不織布
Ｐ      キャビネット（筐体）
【図１】
0003875843.tif 000002
【図２】
0003875843.tif 000003
【図３】
0003875843.tif 000004
【図４】
0003875843.tif 000005
【図５】
0003875843.tif 000006
【図６】
0003875843.tif 000007